(57)【要約】【課題】シートスタックの一方の側から各サブセット間への仕切りページの挿入を容易にする。【解決手段】シートスタック２０を構成する各シートサブセット間への仕切りページの挿入を容易にする方法であって、画像が形成されたシートのサブセットのスタック２０を積み重ねるときに、全サブセットにおいて最上のシートが同じ位置にあり、かつ、各サブセットの残りのシートが、上のサブセットの最終ページがその下のサブセットの一番上のページからオフセットする仕方で徐々にオフセットするようにして、上記シートの各サブセット間に重ね境界を作成する。【選択図】図２
2011157216.tif 000002
【特許請求の範囲】
【請求項１】
シートスタックを構成する各シートサブセット間への仕切りページの挿入を容易にする方法であって、
画像が形成されたシートのサブセットのスタックを積み重ねるときに、全サブセットにおいて最上のシートが同じ位置にあり、かつ、各サブセットの残りのシートが、上のサブセットの最終ページがその下のサブセットの一番上のページからオフセットする仕方で徐々にオフセットするようにして、前記シートの各サブセット間に重ね境界を作成する、
方法。
【請求項２】
複数のセットのスタックに鋸歯状オフセットを実現する方法であって、
少なくとも一つのシートセットのスタックを積重ねるときに、全セットにおいて最上のシートが同じ位置にあり、かつ、各セットの残りのシートが、上のセットの最終ページがその下のセットの一番上のページからオフセットする仕方で徐々にオフセットするようにして、シートの各セット間に重ね境界を作成する、
方法。
【請求項３】
シートサブセットのスタックから個々のシートのサブセットを取り出すための改良された方法であって、
シートサブセットのスタックを積み重ねるときに、全サブセットにおいて最上のシートが同じ位置にあり、かつ、各サブセットの残りのシートが、上のサブセットの最終ページがその下のサブセットの一番上のページからオフセットする仕方で徐々にオフセットするようにして、シートの各サブセット間に重ね境界を作成する、
方法。
【発明の詳細な説明】
【技術分野】
【０００１】
以下の開示は、複数コピー／複数セットの書類の処理に関する。特に、開示される方法は、複数コピー／複数セット出力へのページの挿入を容易することに関する。
【背景技術】
【０００２】
紙のオフセットスタック用のスタッキング装置がよく知られている。各スタックは、順に重ねて位置合わせされた等しいサイズの複数の用紙からなる。コンベヤベルトはスタックへと用紙を搬送する。装置が紙止めに対して用紙の１スタックを形成すると、その紙止めは移動させられて、第２紙止めが所定位置に移動する。第２紙止めは第１紙止めとオフセットした場所に配置される。第２の紙のスタックは上記第２紙止めに対して形成される。第２スタックは第１スタックからオフセットする。スタックを構成している用紙を搬送するコンベヤベルト付近の各スタックの部分を、各スタックの後部と規定する。用紙がスタックへ搬送された後に該スタック中の各用紙の移動を停止させる一又は複数の紙止めに隣接した各スタックの部分を、各スタックの前部と規定する。
【０００３】
ヘンリー・Ｔ・クレマー（Ｈｅｎｒｙ  Ｔ．  Ｋｒｅｍｅｒ）らの米国特許第５００７６２５号では、少なくとも１つのオリジナル書類から複写された用紙の、オフセットしているスタックを調整する装置が記載されている。１つの形態では、丁合が取られていない用紙の一連のスタックが相互にオフセットする。別の形態では、コピー用紙のスタックのオフセットが抑制される。米国特許第５６１８０３５号では、内蔵式オフセットスタッカアセンブリが、ホストプリンタの用紙出力と連動して動作可能であり、それによってホストプリンタから用紙を受け取り、オフセットした組として用紙を積み重ねる。同様に、米国特許第５９５１００８号では、互いにオフセットした組に紙を自動的に積み重ねる、オフセットした紙スタッキング装置が開示されている。紙は１つの重なりとして積み重ねられる。しかし、その重なりの中で、直上及び直下の組に対して横向きオフセットで積み重ねられた用紙の組が複数存在する。したがって、１つおきの用紙の組は互いに一列となり、隣接する各組は互いにオフセットする。この種類の用紙オフセットスタッカの欠点は、ページをオフセットスタックに挿入することが容易ではないことである。
【先行技術文献】
【特許文献】
【０００４】
【特許文献１】米国特許第５００７６２５号明細書
【特許文献２】米国特許第５６１８０３５号明細書
【特許文献３】米国特許第５９５１００８号明細書
【発明の概要】
【発明が解決しようとする課題】
【０００５】
プリンタの中には、各コピー又はサブセットの間で前後に数ミリメートルだけ、印刷された出力の位置を交互とすることで、１つのジョブ内でのコピー又はサブセットを手で容易に分離できるようにするものがある。これによって、１つのコピー又はサブセットの端を指でつかみ、印刷された出力のスタックの残りからそれを分けることができる。このように突き揃えされた印刷されたコピー又はサブセットのスタックの端部を見ると、方形パターンが観察される。これはジョブにおいてコピー又はサブセットを手で分離するのに適しているが、ページを挿入したい場合には、より扱いにくくなる。各コピー又はセット間の境界は、毎回異なった位置となる。
【課題を解決するための手段】
【０００６】
したがって、この問題を解決するために、ここでは、ページをコピー又はサブセットの中に容易に挿入するためのコピー又はサブセットの位置決め方法であって、全てのセットにおける最上のシートが同じ位置となるが、各セットの残りのシートが、上のセットの最終ページが次の又はその下のセットの一番上のページから有意に又は明確にオフセットする仕方で徐々にオフセットするように、上記シート間に重ね境界を作成することを含む方法を開示する。したがって、セットはさらに容易に一方の側から分離することができ、僅かな労力のみでページを手で挿入することができる。
【０００７】
当業者にしてみれば、特定の装置及びの操作、又は以下の実施例、及び特許請求の範囲に記載された方法から、上述の特徴やさらなる特徴、また効果が多様に変化することは明白である。そのため、このことは、これらの特定の実施形態の記載からよく理解することができる。この記載には以下の図（ほぼ縮尺通り）も含む。
【図面の簡単な説明】
【０００８】
【図１】典型的なオフセットシートスタックの正面図である。
【図２】鋸歯状の突き揃えされたシートスタックの正面図である。
【図３】スタックのサブセットにタブを挿入するところを示す、典型的なオフセットシートスタックの正面図である。
【図４】スタックのサブセットにタブを挿入するところを示す、鋸歯状に突き揃えされたシートスタックの正面図である。
【発明を実施するための形態】
【０００９】
まず図１を参照する。各々のコピー又はサブセットごとに数ミリメートルの差で出力の位置を交互に変える、積み重ねられた第１シートが下向きである典型的な突き揃えを有する、従来技術に係るシート１０のコピー／サブセットのスタックが示されている。個々のコピー又はサブセットを掴んだり扱ったりするためには、重なっている側面のコピー又はサブセットの下部端を掴む必要がある。図１からわかるように、掴むことができる端部がないため、指先でこの側面の一番上のコピー／サブセットを掴むことができない。引っかかる端部を探すためにスタックの反対側へと動く必要があるだろう。しかし、図２に示されているような本開示によれば、この問題の解決には、全てのセットの一番上のシートが同じ位置であるが、各セットの残りは、上のセットの最終ページがその下のセットの一番上のページから十分に又は明確にオフセットする仕方で徐々にオフセットするようにして、スタック２０における全てのセット間に重ね境界を設けることが含まれる。これによって各コピー又はサブセットに鋸歯状突き揃えが形成され、各コピー又はセットにおいてスタックの同一の側に、図示されているように指で掴むことができる端部が残される。
【００１０】
図３は従来の、シート１０のコピー又はサブセットのオフセット積み重ねを示している。タブページ又は仕切りページ３０を矢印３２の方向に手でスタックへ挿入するのは非常に難しそうであることがわかる。１つおきのコピー又はサブセットのみに、個々のサブセットの下にタブページを設けるために掴むことができる端部がある。図４では、各サブセットの一番上のシートが同一の位置にあり、各サブセットの残りが徐々にオフセットしている鋸歯状端部をそれぞれのコピー又はサブセットに生成することで、タブ又は他の用紙（ｓｔｏｃｋ）３０をサブセットの下に矢印３２の方向へ挿入することがより容易になっている。結果として、上のサブセットの最後のページはその下のサブセットの一番上のシートからオフセットしており、それによって一方の側からサブセットを分けるのがより容易となり、タブページ又は仕切りページを各サブセット間へ簡単に手で挿入することができる。
【符号の説明】
【００１１】
１０  シート、２０  スタック、３０  タブページ又は仕切りページ、３２  矢印。
【図１】
2011157216.tif 000003
【図２】
2011157216.tif 000004
【図３】
2011157216.tif 000005
【図４】
2011157216.tif 000006